(57)【要約】【課題】車内アナウンスの妨げにならないような形態で、音声付きの番組コンテンツを提供することのできる車内情報提供システムを提供する。【解決手段】車内情報提供システムは、情報再生装置２００に対して番組データを送信する情報配信装置１００と、車両内の各所に配置され、番組データを無声で再生する情報再生装置２００と、車内アナウンスが行われる際に出力される音声制御信号に応じて、前記番組データの音声と、車内アナウンスの音声とを切り替える音声制御装置１０５と、音声制御装置１０５から送られた音声データを無線信号に変換して送信するトランスミッタ２０２を備える。ユーザは、トランスミッタ２０２より送信される無線信号を受信し音声出力可能な音声受信端末３００により、番組データと車内アナウンスの両方を聴取可能となる。【選択図】図１
2007243673.tif 000002
【特許請求の範囲】
【請求項１】
車両内の乗客に任意の情報コンテンツを配信する車内情報提供システムであって、
前記情報コンテンツを構成する番組データを配信する情報配信装置と、
車両内の各所に配置され、前記情報配信装置から受信した番組データを再生する情報再生装置と、
車内アナウンスが行われる際に出力される音声制御信号に応じて、前記番組データに含まれる音声の音量と車内アナウンスの音量とを調整し、音声データとして出力する音声制御装置と、
前記音声データを無線信号に変換して送信する無線送信装置と、を備え、
前記無線信号を受信し音声出力可能な音声受信端末により、乗客が、前記番組データの音声及び車内アナウンスの双方を聴取可能としたこと、
を特徴とする車内情報提供システム。
【請求項２】
前記無線送信装置が、前記情報再生装置と組をなすよう配設されていること、
を特徴とする請求項１に記載の車内情報提供システム。
【請求項３】
前記音声制御装置は、車内アナウンスの入力時には、番組データに含まれる音声の音量を最小化すること、
を特徴とする請求項１又は２に記載の車内情報提供システム。
【請求項４】
更に、前記番組データを受信する受信装置と、前記番組データを蓄積する記憶装置と、を備えたこと、
を特徴とする請求項１乃至３いずれか一に記載の車内情報提供システム。
【請求項５】
車両内の各所に配置され、前記情報配信装置から受信した番組データを再生する情報再生装置を介して、車両内の乗客に任意の情報コンテンツを配信する車内情報提供システムと接続された情報配信装置であって、
車内アナウンスが行われる際に出力される音声制御信号に応じて、前記番組データに含まれる音声の音量と車内アナウンスの音量とを調整し、音声データとして出力する音声制御装置と、
前記音声データを無線信号に変換して送信する無線送信装置と、を備え、
前記情報再生装置に対して、前記情報コンテンツを構成する番組データを配信するとともに、前記無線信号を受信し音声出力可能な音声受信端末により、乗客が、前記番組データの音声及び車内アナウンスの双方を聴取可能としたこと、
を特徴とする情報配信装置。
【請求項６】
情報コンテンツを構成する番組データを配信する情報配信装置を含み、車両内の乗客に任意の情報コンテンツを配信する車内情報提供システムと接続された情報再生装置であって、
車内アナウンスが行われる際に出力される音声制御信号に応じて、前記番組データに含まれる音声の音量と車内アナウンスの音量とを調整し、音声データとして出力する音声制御装置と、
前記音声データを無線信号に変換して送信する無線送信装置と、を備え、
前記情報配信装置から受信した番組データを再生するとともに、前記無線信号を受信し音声出力可能な音声受信端末により、乗客が、前記番組データの音声及び車内アナウンスの双方を聴取可能としたこと、
を特徴とする情報再生装置。
【請求項７】
情報コンテンツを構成する番組データを配信する情報配信装置と、車両内の各所に配置され、前記情報配信装置から受信した番組データを再生する情報再生装置と、から構成され、車両内の乗客に、任意の情報コンテンツを配信する車内情報提供システムを用いた番組提供方法であって、
前記情報配信装置が、前記番組データとともに、車内アナウンスが行われる際に出力される音声制御信号に応じて、前記番組データに含まれる音声の音量と車内アナウンスの音量とを調整し、音声データとして前記情報再生装置に出力するステップと、
前記情報配信装置から番組データと前記音声データを受信した情報再生装置が、前記番組データを無声で再生するとともに、前記音声データを無線信号に変換して無線送信するステップと、を含み、
前記無線信号を受信し音声出力可能な音声受信端末により、乗客が、前記番組データの音声及び車内アナウンスの双方を聴取可能としたこと、
を特徴とする車両内における番組提供方法。
【発明の詳細な説明】
【技術分野】
【０００１】
本発明は、列車等の車内に配置された情報再生装置と、該情報再生装置に番組データを配信する情報配信装置とにより車内放送等を行う車内情報提供システム及び該システムを用いた番組データ提供方法に関する。
【背景技術】
【０００２】
特開２００１−３１２２３８号公報に、列車における画像表示システムが開示されている。この画像表示システムでは、列車の運行情報、天気予報やニュース等の情報を表示する液晶テレビとは別にスピーカを設け、映像に合致した音声を放送することによって顕著な広告効果が得られる旨が記載されている（同公報段落００３８等）。また、同公報の画像表示システムでは、前記スピーカへの入力を切り替える音声切り替え手段を備えており、行先や次の停車駅等の案内音声、緊急放送、映像に合致した音声とを切り替えることが可能とされている。
【０００３】
【特許文献１】特開２００１−３１２２３８号公報
【発明の開示】
【発明が解決しようとする課題】
【０００４】
しかしながら、実際の鉄道の車内モニターでも映像のみが配信されているように、スピーカから各種の映像に伴う音声を出力した場合、車内がうるさくなるという問題点が生ずるものと考えられる。
【０００５】
特許文献１の技術によれば、切り替え装置が備えられているため、車内アナウンスが聞こえなくなることは防止されるが、それでも、すべての乗客が関心を持つとは限らないニュースや企業広告が垂れ流されてしまうという問題点がある。
【０００６】
このために、本来音声が付いているテレビ放送用のコンテンツを無音で配信するといった運用がなされているが、製作側の意図した再生態様とは異なるため、本来の情報伝達効果を発揮できていないという状況にある。
【０００７】
本発明は、上記した事情に鑑みてなされたものであって、その目的とするところは、車内アナウンス等の妨げにならないような形態で、音声付きの番組コンテンツを提供することのできる車内情報提供システム及び番組提供方法を提供することにある。
【課題を解決するための手段】
【０００８】
本発明の第１の視点によれば、車両内の乗客に任意の情報コンテンツを配信する車内情報提供システムであって、前記情報コンテンツを構成する番組データを配信する情報配信装置と、車両内の各所に配置され、前記情報配信装置から受信した番組データを再生する情報再生装置と、車内アナウンスが行われる際に出力される音声制御信号に応じて、前記番組データに含まれる音声の音量と車内アナウンスの音量とを調整し、音声データとして出力する音声制御装置と、前記音声データを無線信号に変換して送信する無線送信装置と、を備え、前記無線信号を受信し音声出力可能な音声受信端末により、乗客が、前記番組データの音声及び車内アナウンスの双方を聴取可能としたこと、を特徴とする車内情報提供システムと該システムを構成する各装置が提供される。
【０００９】
本発明の第２の視点によれば、情報コンテンツを構成する番組データを配信する情報配信装置と、車両内の各所に配置され、前記情報配信装置から受信した番組データを再生する情報再生装置と、から構成され、車両内の乗客に、任意の情報コンテンツを配信する車内情報提供システムを用いた番組提供方法であって、前記情報配信装置が、前記番組データとともに、車内アナウンスが行われる際に出力される音声制御信号に応じて、前記番組データに含まれる音声の音量と車内アナウンスの音量とを調整し、音声データとして前記情報再生装置に出力するステップと、前記情報配信装置から番組データと前記音声データを受信した情報再生装置が、前記番組データを再生するとともに、前記音声データを無線信号に変換して無線送信するステップと、を含み、前記無線信号を受信し音声出力可能な音声受信端末により、乗客が、前記番組データの音声及び車内アナウンスの双方を聴取可能としたこと、を特徴とする車両内における番組提供方法が提供される。
【発明の効果】
【００１０】
本発明によれば、車内アナウンスを妨げることなく、番組の映像に付随する音声を提供することが可能となり、既存の音声付コンテンツを、その本来の態様で乗客に視聴させることが可能となる。
【発明を実施するための最良の形態】
【００１１】
続いて、本発明を実施するための最良の形態について図面を参照して詳細に説明する。
図１は、本発明を列車内における情報提供システムに適用した第１の実施形態の構成を表したブロック図である。図１を参照すると、本実施形態に係る車内情報提供システムは、列車の所定位置に設けられた情報配信装置１００と、列車の各車輌に設けられた情報再生装置２００と、から構成される。
【００１２】
情報配信装置１００は、通信装置１０１、映像データを記憶する映像データ記憶装置１０２、音声データを記憶する音声データ記憶装置１０３、音声案内入力装置１０４、音声制御装置１０５を含んで構成され、駅、車庫あるいは沿線付近等に設けられた情報提供サーバ（図示省略）から受信した番組データを車内に配信する。情報配信装置１００は、例えば、一編成の列車に対して一つ設けられ、車掌等によって管理される。
【００１３】
通信装置１０１は、前記情報提供サーバ（図示省略）から無線により、番組データを受信するための手段である。また、前記情報提供サーバ（図示省略）が有線通信インターフェースを備えている場合には、通信装置１０１に対応する有線通信インターフェースを追加し、有線にて番組データを受信できるようにしてもよい。この番組データは、映像データと音声データに分離可能に構成されており、通信装置１０１は、映像データ記憶装置１０２に対して映像データを送信し、音声データ記憶装置１０３に対して音声データを送信する。
【００１４】
映像データ記憶装置１０２に記憶された映像データは、所定のスケジュールに従って、情報再生装置２００に送信され、映像表示装置２０１にて出力される。
【００１５】
音声データ記憶装置１０３に記憶された音声データも、元となる番組データの映像とタイミングが同期するよう上記所定のスケジュールに従って、音声制御装置１０５を介して情報再生装置２００側に送信される。
【００１６】
音声案内入力装置１０４は、マイクや発話スイッチ等により構成される音声入力装置であり、例えば車掌が列車の運行状況に応じてアナウンスする際に使用される。音声案内入力装置１０４の上記発話スイッチを押下することにより音声制御信号が音声制御装置１０５に出力され、マイクより拾った音声を情報再生装置２００側に送るよう音声制御装置１０５を切り替え動作させる。
【００１７】
音声制御装置１０５は、音声案内入力装置１０４から送信される音声制御信号に従って動作し、音声データ記憶装置１０３から出力される番組音声と、上記音声案内入力装置１０４からのアナウンス音声を切り替えるスイッチを含んで構成された装置である。例えば、音声案内入力装置１０４から音声制御信号を受信していない状態では、音声制御装置１０５は、映像データと同期する番組音声を配信する状態に保持され、音声制御信号を受信すると、音声案内入力装置１０４からの音声を配信する状態に切り替えられる。
【００１８】
続いて、情報再生装置２００について説明する。情報再生装置２００は、映像表示装置２０１と、トランスミッタ（無線送信装置）２０２とを含んで構成される。
【００１９】
映像表示装置２０１は、情報配信装置１００から配信される映像信号により、動画像及び静止画像の表示を行う液晶ディスプレイ装置等である。映像表示装置２０１は、車内が過度に騒がしくならないよう、無声により画像再生を行うことが望ましい。従って、映像表示装置２０１に、スピーカ等の音声出力手段は必須ではない。
【００２０】
トランスミッタ２０２は、情報配信装置１００から配信される音声信号を、例えば、ＦＭ波や地上デジタル放送波等に変換して無線音声信号を送信する装置である。
【００２１】
なお、本実施形態では、映像表示装置２０１と、トランスミッタ２０２とにより構成された情報再生装置２００を用いているが、これらをそれぞれ独立して設けることとしてもよい。即ち、従来より列車等に設置されている液晶ディスプレイを映像表示装置２０１として用い、トランスミッタ２０２を新たに各車輌に配設することによっても、本発明に係る車内情報提供システムを構成することができる。
【００２２】
音声受信端末３００は、上記トランスミッタ２０２より送信される無線音声信号を受信し、イヤホンや骨電動スピーカ等により音声を出力可能なラジオや携帯電話端末等の機器である。ユーザは、映像表示装置２０１にて映像を見るとともに、その所持する音声受信端末３００にて、音声を聞くことが可能となる。
【００２３】
続いて、本実施形態に係る車内情報提供システムの動作について図面を参照して詳細に説明する。図２は、本実施形態に係る車内情報提供システムの情報配信装置１００の動作を表したフローチャートである。
【００２４】
図２を参照すると、まず、情報配信装置１００は、通信装置１０１によって受信した番組データを映像データと音声データに分離し、映像データ記憶装置１０２及び音声データ記憶装置１０３にそれぞれ記憶する（ステップＳ１０１）。
【００２５】
そして、情報配信装置１００は、前記記憶した映像データ及び音声データを、情報再生装置２００に対して送信する（ステップＳ１０２）。
【００２６】
このとき、映像データは、そのまま情報再生装置２００の映像表示装置２０１に入力される、音声データは、音声制御装置１０５に入力される。
【００２７】
音声制御装置１０５は、音声案内入力装置１０４からの音声案内（車内アナウンス）の入力がない、即ち、音声制御信号が入力されていない場合は（ステップＳ１０３の無）、音声データ記憶装置１０３の出力（＝番組音声）を選択している。従って、入力された音声データは、情報再生装置２００のトランスミッタ２０２に送信される。
【００２８】
一方、音声案内（車内アナウンス）が音声案内入力装置１０４に入力されると、音声制御信号が音声制御装置１０５に入力されると（ステップＳ１０３の有）、音声制御装置１０５において、音声データ記憶装置１０３の出力（＝番組音声）から、音声案内入力装置１０４の出力（＝アナウンス音声）への切り替え動作が行われ、アナウンス音声が情報再生装置２００のトランスミッタ２０２に送信される（ステップＳ１０４）。
【００２９】
以上により、周囲に迷惑をかけることなく、番組映像に合わせた番組音声を提供するとともに、停車駅の案内等の車内アナウンスを確実に届けることが可能となる。
【００３０】
続いて、本発明の第２の実施形態について、図面を参照して詳細に説明する。図３は本発明の第２の実施形態に係る情報提供システムの構成を表したブロック図である。図３を参照すると、本実施形態に係る車内情報提供システムは、音声制御装置２０５が、情報再生装置２００側に設けられているほかは、上記第１の実施形態と同様である。
【００３１】
本実施形態においても、音声制御装置２０５は、情報配信装置１００側の音声案内入力装置１０４から送信される音声制御信号に従って動作し、音声データ記憶装置１０３から出力される番組音声と、上記音声案内入力装置１０４からのアナウンス音声を切り替えることが可能となっている。本実施形態によれば、情報再生装置２００側に音声制御装置２０５を配設しなければならないが、情報配信装置１００側をより簡素な構成とすることができる。
【００３２】
続いて、本発明の第３の実施形態について、図面を参照して詳細に説明する。図４は本発明の第３の実施形態に係る情報提供システムの構成を表したブロック図である。図４を参照すると、本実施形態に係る車内情報提供システムは、トランスミッタ１０６が、情報配信装置１００側に設けられているほかは、上記第１の実施形態と同様である。
【００３３】
本実施形態においても、トランスミッタ１０６は、音声制御装置１０５から出力される音声信号を、例えば、ＦＭ波や地上デジタル放送波等に変換して無線音声信号を送信することが可能となっている。本実施形態によれば、情報再生装置２００側にトランスミッタを配設する必要がなく、情報再生装置２００として、公知の液晶ディスプレイ装置を利用できるという利点が得られている。
【００３４】
以上本発明の好適な各実施の形態を説明したが、本発明の技術的範囲は、上述した実施の形態に限定されるものではなく、適用される車両の態様等に応じて、各種の変形を加えることが可能である。例えば、上記した実施形態では、本発明を列車に適用した例を挙げて説明したが、周囲の迷惑にならない態様で映像に付随する音声をユーザに届けたいというニーズは、その他各種の公共交通機関においても同様であり、本発明を適用可能であることはいうまでもない。
【００３５】
また、上記した実施形態においては音声制御装置１０５を用い、番組音声とアナウンス音声を切り替えて出力するものとして説明したが、番組音声とアナウンス音声をそれぞれ所定の音量で多重化するようにしてもよい。例えば、上記音声制御装置１０５に代えて、所定の音声制御信号に応じて、音声信号とアナウンス音声との各出力音量を制御する音声制御装置を設けることにより、アナウンス発生時には番組音声を小さくし、アナウンス音声を被せるといった細かい制御を実現することができる。
【００３６】
また、上記した実施形態では、車内アナウンスはトランスミッタ２０２および１０６から送信されるものとして説明したが、これに加え、既存の車内アナウンスと同様に、車輌に別途設けられたスピーカから同時に再生することとしてもよいことはもちろんである。
【図面の簡単な説明】
【００３７】
【図１】本発明の第１の実施形態に係る情報提供システムの構成を表したブロック図である。
【図２】本発明の第１の実施形態に係る情報提供システムの動作を表したフローチャートである。
【図３】本発明の第２の実施形態に係る情報提供システムの構成を表したブロック図である。
【図４】本発明の第３の実施形態に係る情報提供システムの構成を表したブロック図である。
【符号の説明】
【００３８】
１００  情報配信装置
１０１  通信装置
１０２  映像データ記憶装置
１０３  音声データ記憶装置
１０４  音声案内入力装置
１０５、２０５  音声制御装置
１０６、２０２  トランスミッタ（無線送信装置）
２００  情報再生装置
２０１  映像表示装置
３００  音声受信端末
【図１】
2007243673.tif 000003
【図２】
2007243673.tif 000004
【図３】
2007243673.tif 000005
【図４】
2007243673.tif 000006